(57)【要約】伝送方法および装置を開示する。伝送方法は、スロットアグリゲーション伝送を行う過程において第１所定条件を満たした場合、アグリゲーションされたスロットにおける伝送されていないスロットでのデータ伝送を停止することを含む。実施例によれば、アグリゲーションされたスロットにおける伝送されていないスロットでのデータ伝送を停止することにより、アグリゲーションされたスロットにおける伝送されていないスロットでのデータ伝送が失敗するという問題がなく、スロットアグリゲーション伝送中に帯域幅パートＢＷＰの切り替えが発生した場合のスロットアグリゲーション伝送の成功率を向上させる。【選択図】図２
2021517780.tif 000002
【特許請求の範囲】
【請求項１】
スロットアグリゲーション伝送を行う過程において第１所定条件を満たしたことに応じて、アグリゲーションされたスロットにおける伝送されていないスロットでのデータ伝送を停止することを含む、伝送方法。
【請求項２】
第１所定条件は、
帯域幅パートの切り替えが発生したことと、
第３下り制御情報における帯域幅パート指示フィールドが第１下り制御情報における帯域幅パート指示フィールドと異なることと、
第３下り制御情報における帯域幅パート指示フィールドが第４下り制御情報における帯域幅パート指示フィールドと異なることと、
第３下り制御情報における少なくとも１つの追加ビットフィールドまたは帯域幅パート指示フィールド以外の他のビットフィールドが第２所定条件を満たすことと、
切り替え後の帯域幅パートのサブキャリア間隔が切り替え前の帯域幅パートのサブキャリア間隔と異なることと、
切り替え後の帯域幅パートの大きさが切り替え前の帯域幅パートの大きさと異なることと、
の少なくとも１種を含み、
前記第３下り制御情報および前記第４下り制御情報は、非アグリゲーション伝送のスロットのデータ伝送を指示するために用いられ、前記第１下り制御情報は、前記スロットアグリゲーション伝送における１つ目のスロットのデータ伝送を指示するために用いられる、請求項１に記載の方法。
【請求項３】
前記第３下り制御情報における少なくとも１つの追加ビットフィールドまたは帯域幅パート指示フィールド以外の他のビットフィールドが第２所定条件を満たすことは、
前記追加ビットフィールドまたは帯域幅パート指示フィールド以外の他のビットフィールドが、アグリゲーションされたスロットにおける伝送されていないスロットでのデータ伝送を停止することを指示することと、
前記追加ビットフィールドまたは帯域幅パート指示フィールド以外の他のビットフィールドの所定状態が、アグリゲーションされたスロットにおける伝送されていないスロットでのデータ伝送を停止することを指示することと、の少なくとも１つを含む、請求項２に記載の方法。
【請求項４】
前記スロットアグリゲーション伝送における１つ目のスロットのデータ伝送は、第１下り制御情報により指示されるまたは無線リソース制御メッセージにより設定される、請求項１〜３のいずれか１項に記載の方法。
【請求項５】
第２下り制御情報に応じて前記伝送されていないスロットでのデータ伝送を指示することを更に含み、
前記伝送されていないスロットで伝送されるデータは、伝送されたスロットで伝送されるデータと同じである、請求項１〜３のいずれか１項に記載の方法。
【請求項６】
スロットアグリゲーション伝送を行う過程において帯域幅パートの切り替えが発生したことに応じて、切り替え前の帯域幅パートを切り替え後の帯域幅パートにマッピングし、前記切り替え後の帯域幅パートを用い、アグリゲーションされたスロットにおける伝送されていないスロットでデータを伝送することを含む、伝送方法。
【請求項７】
前記切り替え前の帯域幅パートを切り替え後の帯域幅パートにマッピングすることは、
前記切り替え前の帯域幅パートのｉ個目のリソースブロックを前記切り替え後の帯域幅パートのｉ個目のリソースブロックにマッピングし、ｉは０以上の整数であることと、
前記切り替え前の帯域幅パートのｉ個目のリソースブロックを前記切り替え後の帯域幅パートの（ｉ＋△）または（ｉ−△）個目のリソースブロックにマッピングし、ｉ、△は０以上の整数であることと、
前記切り替え前の帯域幅パートの第１リソースブロックを前記切り替え後の帯域幅パートの第２リソースブロックにマッピングし、第１リソースブロックの周波数領域位置と第２リソースブロックの周波数領域位置とが同じであることと、
前記切り替え前の帯域幅パートのｉ個目のリソースブロックを前記切り替え後の帯域幅パートの（ｉ  ｍｏｄ  Ｘ）個目のリソースブロックにマッピングし、Ｘは前記切り替え後の帯域幅パートのリソースブロックの個数であることと、
前記切り替え前の帯域幅パートのリソースブロックを前記切り替え後の帯域幅パートの最も低いリソースブロックからマッピングし始めることと、の少なくとも１種を含む、請求項６に記載の方法。
【請求項８】
前記切り替え前の帯域幅パートを切り替え後の帯域幅パートにマッピングした後、
前記切り替え後の帯域幅パートをホッピング処理することと、
ホッピング処理後の前記切り替え後の帯域幅パートを用い、前記伝送されていないスロットでデータを伝送することと、を更に含む、請求項６または７に記載の方法。
【請求項９】
前記切り替え後の帯域幅パートをホッピング処理することは、前記切り替え後の帯域幅パートの大きさに基づいてホッピング計算を行うことを含む、請求項８に記載の方法。
【請求項１０】
前記切り替え後の帯域幅パートをホッピング処理する前に、
ホッピングスロットカウンタをリセットするか、または、ホッピングスロットカウンタをリセットしないことを更に含み、
前記切り替え後の帯域幅パートをホッピング処理することは、
リセットされたホッピングスロットカウンタまたはリセットされないホッピングスロットカウンタに基づいて前記切り替え後の帯域幅パートをホッピング処理することを更に含む、請求項８に記載の方法。
【請求項１１】
時間領域情報および周波数領域情報のうちの少なくとも１つに基づき、スロットアグリゲーション伝送に用いられる正当なスロットを確定することと、
前記正当なスロットでデータを伝送することと、を含む、伝送方法。
【請求項１２】
前記時間領域情報は、
開始長さインディケータと、
時間領域シンボルの開始位置と、
時間領域シンボルの継続長さと、
帯域幅パートの変換時間と、の少なくとも１つを含む、請求項１１に記載の方法。
【請求項１３】
前記帯域幅パートの変換時間は
【数１】
2021517780.tif 000007
であり、ｎは下り制御情報をスケジューリングするスロットであり、Ｋ０は下り制御情報をスケジューリングするスロットから下りデータを受信するスロットまでの間の間隔であり、Ｋ２は下り制御情報をスケジューリングするスロットから上りデータを送信するスロットまでの間の間隔であり、μＰＤＳＣＨは物理下り共用チャネルが採用するサブキャリア間隔であり、μＰＤＣＣＨは物理下り制御チャネルが採用するサブキャリア間隔である、請求項１２に記載の方法。
【請求項１４】
前記周波数領域情報は、
帯域幅パートのサブキャリア間隔と、
切り替え後の帯域幅パートのサブキャリア間隔と、
帯域幅パートの大きさと、
切り替え後の帯域幅パートの大きさと、
帯域幅パートの周波数領域位置と、
切り替え後の帯域幅パートの周波数領域位置と、
の少なくとも１つを含み、
リソース割り当てフィールドが所定状態である、請求項１１に記載の方法。
【請求項１５】
スロットアグリゲーションの全てのスロットで同じ帯域幅パートを用いてデータを伝送することを含む、伝送方法。
【請求項１６】
スロットアグリゲーション伝送を行う過程において第１所定条件を満たしたことに応じて、アグリゲーションされたスロットにおける伝送されていないスロットでのデータ伝送を停止するように構成される処理モジュールを備え、
前記スロットアグリゲーション伝送における１つ目のスロットの伝送は、第１下り制御情報により指示されるまたは無線リソース制御メッセージにより設定される、伝送装置。
【請求項１７】
スロットアグリゲーション伝送を行う過程において帯域幅パートの切り替えが発生したことに応じて、切り替え前の帯域幅パートを切り替え後の帯域幅パートにマッピングするように構成されるマッピングモジュールと、
前記切り替え後の帯域幅パートを用い、アグリゲーションされたスロットにおける伝送されていないスロットでデータを伝送するように構成される伝送モジュールと、を備える、伝送装置。
【請求項１８】
時間領域情報および周波数領域情報に応じて、スロットアグリゲーション伝送に用いられるスロットアグリゲーション伝送の正当なスロットを確定するように構成される確定モジュールと、
前記正当なスロットでデータを伝送するように構成される伝送モジュールと、を備える、伝送装置。
【請求項１９】
スロットアグリゲーションの全てのスロットで同じ帯域幅パートを用いてデータを伝送するように構成される第３伝送モジュールを備える、伝送装置
【請求項２０】
プロセッサと、
コンピュータ可読記憶媒体とを備え、
前記コンピュータ可読記憶媒体には命令が記憶されており、
前記命令は前記プロセッサに請求項１〜１５のいずれか１項に記載の伝送方法を実行させる、伝送装置。
【請求項２１】
コンピュータプログラムを記憶したコンピュータ可読記憶媒体であって、
前記コンピュータプログラムはプロセッサに、請求項１〜１５のいずれか１項に記載の伝送方法を実行させる、コンピュータ可読記憶媒体。
【発明の詳細な説明】
【技術分野】
【０００１】
（関連出願の相互参照）
本願は、２０１８年０４月０３日に中国専利局に提出された出願番号が２０１８１０２９１０８８．５である中国特許出願に対して優先権の利益を主張するものであり、該出願の全ての内容を引用により本願に援用する。
【０００２】
（技術分野）
本願は通信技術に関し、例えば、伝送方法および装置に関する。
【背景技術】
【０００３】
無線通信技術の発展およびユーザの通信ニーズの増加に伴い、より高く、より速く、より新しい通信ニーズを満たすために、第５世代移動通信（５ｔｈ  Ｇｅｎｅｒａｔｉｏｎ、５Ｇ）技術は、将来のネットワーク発展の傾向となっている。５Ｇ通信システムは、より高いデータレートを達成するように、より高くてより速い周波数帯（例えば、３ＧＨｚ以上）で実施されると考えられる。
【０００４】
Ｎｅｗ  ＲＡＴ（ＮＲ）は、カバレッジを確保するためにスロットアグリゲーション（ｓｌｏｔ  ａｇｇｒｅｇａｔｉｏｎ）伝送を導入し、スロットアグリゲーション伝送中に帯域幅パートの切り替えが発生したことで、伝送は失敗してしまう。
【発明の概要】
【発明が解決しようとする課題】
【０００５】
本願の実施例は、スロットアグリゲーション伝送中にＢＷＰの切り替えが発生した場合のスロットアグリゲーション伝送の成功率を向上させることができる伝送方法および装置を提供する。
【課題を解決するための手段】
【０００６】
本願の実施例は、スロットアグリゲーション伝送を行う過程において第１所定条件を満たした場合、アグリゲーションされたスロットにおける伝送されていないスロットでのデータ伝送を停止することを含む伝送方法を提供する。
【０００７】
本願の実施例は、スロットアグリゲーション伝送を行う過程において帯域幅パートの切り替えが発生した場合、切り替え前の帯域幅パートを切り替え後の帯域幅パートにマッピングし、前記切り替え後の帯域幅パートを用い、アグリゲーションされたスロットにおける伝送されていないスロットでデータを伝送することを含む伝送方法を提出する。
【０００８】
本願の実施例は、時間領域情報および周波数領域情報のうちの少なくとも１つに基づき、スロットアグリゲーション伝送に用いられる正当なスロットを確定することと、前記正当なスロットでデータを伝送することと、を含む伝送方法を提出する。
【０００９】
本願の実施例は、スロットアグリゲーションの全てのスロットで同じ帯域幅パートを用いてデータを伝送することを含む伝送方法を提出する。
【００１０】
本願の実施例は、スロットアグリゲーション伝送を行う過程において第１所定条件を満たした場合、アグリゲーションされたスロットにおける伝送されていないスロットでのデータ伝送を停止するように構成される処理モジュールを備え、前記スロットアグリゲーション伝送における１つ目のスロットの伝送は、第１下り制御情報により指示されるまたは無線リソース制御メッセージにより設定される伝送装置を提出する。
【００１１】
本願の実施例は、スロットアグリゲーション伝送を行う過程において帯域幅パートの切り替えが発生した場合、切り替え前の帯域幅パートを切り替え後の帯域幅パートにマッピングするように構成されるマッピングモジュールと、前記切り替え後の帯域幅パートを用い、アグリゲーションされたスロットにおける伝送されていないスロットでデータを伝送するように構成される第１伝送モジュールと、を備える伝送装置を提出する。
【００１２】
本願の実施例は、時間領域情報および周波数領域情報に応じて、スロットアグリゲーション伝送に用いられるスロットアグリゲーション伝送の正当なスロットを確定するように構成される確定モジュールと、前記正当なスロットでデータを伝送するように構成される第２伝送モジュールと、を備える伝送装置を提出する。
【００１３】
本願の実施例は、スロットアグリゲーションの全てのスロットで同じ帯域幅パートを用いてデータを伝送するように構成される第３伝送モジュールを備える伝送装置を提出する。
【００１４】
本願の実施例は、プロセッサと、コンピュータ可読記憶媒体とを備え、前記コンピュータ可読記憶媒体に命令が記憶され、前記命令が前記プロセッサにより実行されると、上記いずれかの伝送方法が実現される伝送装置を提出する。
【００１５】
本願の実施例は、コンピュータプログラムが記憶され、前記コンピュータプログラムがプロセッサにより実行されると、上記いずれかの伝送方法が実現されるコンピュータ可読記憶媒体を提出する。
【発明の効果】
【００１６】
本願の他の特徴および利点は、以下の明細書で説明し、且つ、一部が明細書から明らかになるか、または本願を実施することにより理解される。本願の目的および他の利点は、明細書、特許請求の範囲および図面において具体的に示された構造で実現や取得することができる。
【図面の簡単な説明】
【００１７】
図面は、本願の技術案に対する更なる理解を提供するためのものであり、明細書の一部を構成し、本願の実施例と共に本願の技術案を解釈するために用いられ、本願の技術案を限定するものではない。
【００１８】
【図１】本願の関連技術におけるスロットアグリゲーション伝送の模式図である。
【図２】本願の一実施例に係る伝送方法のフローチャートである。
【図３】本願の一実施例における、アグリゲーションされたスロットにおける伝送されていないスロットの伝送を停止する模式図である。
【図４】本願の一実施例における、スケジューリングシグナリングに基づいて前記伝送されていないスロットの伝送を行う模式図である。
【図５】本願の別の実施例に係る伝送方法のフローチャートである。
【図６（ａ）】本願の一実施例における、切り替え前の帯域幅パートを切り替え後の帯域幅パートにマッピングする模式図１である。
【図６（ｂ）】本願の一実施例における、切り替え前の帯域幅パートを切り替え後の帯域幅パートにマッピングする模式図２である。
【図６（ｃ）】本願の一実施例における、切り替え前の帯域幅パートを切り替え後の帯域幅パートにマッピングする模式図３である。
【図７】本願の別の実施例に係る伝送方法のフローチャートである。
【図８（ａ）】本願の別の実施例のスロットアグリゲーション伝送の正当なスロットを確定する模式図１である。
【図８（ｂ）】本願の別の実施例のスロットアグリゲーション伝送の正当なスロットを確定する模式図２である。
【図８（ｃ）】本願の別の実施例のスロットアグリゲーション伝送の正当なスロットを確定する模式図３である。
【図８（ｄ）】本願の別の実施例のスロットアグリゲーション伝送の正当なスロットを確定する模式図４である。
【図９】本願の別の実施例に係る伝送方法のフローチャートである。
【図１０】本願の別の実施例に係る伝送装置の構成の模式図である。
【図１１】本願の別の実施例に係る伝送装置の構成の模式図である。
【図１２】本願の別の実施例に係る伝送装置の構成の模式図である。
【図１３】本願の別の実施例に係る伝送装置の構成の模式図である。
【発明を実施するための形態】
【００１９】
以下、図面を参照しながら本願の実施例について詳細に説明する。
【００２０】
図面のフローチャートに示すステップは、１セットのコンピュータ実行可能命令のようなコンピュータシステムで実行できる。且つ、フローチャートにおいて論理的順序が示されるが、ある場合、ここでの順序と異なる順序で示されるまたは説明されるステップを実行してもよい。
【００２１】
Ｎｅｗ  ＲＡＴ（ＮＲ）は、カバレッジを確保するためにスロットアグリゲーション（ｓｌｏｔ  ａｇｇｒｅｇａｔｉｏｎ）伝送を導入し、すなわち、ユーザ機器（Ｕｓｅｒ  Ｅｑｕｉｐｍｅｎｔ、ＵＥ）は、複数のスロット内の同じ時間領域シンボル位置および周波数領域リソースブロック（Ｒｅｓｏｕｒｃｅ  Ｂｌｏｃｋ、ＲＢ）位置で伝送ブロック（Ｔｒａｎｓｍｉｓｓｉｏｎ  Ｂｌｏｃｋ、ＴＢ）を繰り返し伝送する。現在、アグリゲーション可能なスロット長は、１または２または４または８である。基地局は、無線リソース制御（Ｒａｄｉｏ  Ｒｅｓｏｕｒｃｅ  Ｃｏｎｔｒｏｌ、ＲＲＣ）メッセージにおける下りアグリゲーション因子（ａｇｇｒｅｇａｔｉｏｎ  Ｆａｃｔｏｒ  ＤＬ）を設定することにより、下りリンクがアグリゲーション伝送を行うか否かを表し、ＲＲＣメッセージにおける上りアグリゲーション因子（ａｇｇｒｅｇａｔｉｏｎ  Ｆａｃｔｏｒ  ＵＬ）を設定することにより、上りリンクがスロットアグリゲーション伝送を行うか否かを表す。設定したアグリゲーション因子が１よりも大きければ、ユーザ機器（Ｕｓｅｒ  Ｅｑｕｉｐｍｅｎｔ、ＵＥ）はスロットアグリゲーション伝送を行う必要があることを示す。基地局は、スロットアグリゲーション伝送の１つ目のスロット（ｓｌｏｔ）でスケジューリング（ｇｒａｎｔ）メッセージによりスケジューリングされ、後続の使用可能なスロット内の同じ時間領域シンボル位置および同じ周波数領域ＲＢ位置で、伝送ブロック（Ｔｒａｎｓｍｉｓｓｉｏｎ  Ｂｌｏｃｋ、ＴＢ）を繰り返し伝送する。
【００２２】
また、基地局は、上位層シグナリングによりユーザ機器ＵＥに１セットの帯域幅パート（Ｂａｎｄｗｉｄｔｈ  Ｐａｒｔ、ＢＷＰ）を設定し、最大で４つの下りリンク（ＤｏｗｎＬｉｎｋ、ＤＬ）ＢＷＰおよび４つの上りリンク（ＵｐＬｉｎｋ、ＵＬ）ＢＷＰであり、異なる帯域幅パートＢＷＰはサブキャリア間隔、帯域幅、および周波数領域位置等を独立して設定することができる。現在の規格では、帯域幅パートＢＷＰの切り替えは、静的な帯域幅パートＢＷＰの切り替え、動的な帯域幅パートＢＷＰの切り替え、およびタイム（ｔｉｍｅ）ベースの帯域幅パートＢＷＰの切り替えに分けることができる。例えば、より大きなデータパケットが到達してより大きな帯域幅に変えて送信する必要がある場合、より大きな帯域幅の帯域幅パートＢＷＰに切り替える必要がある。５Ｇ基地局（ｇＮＢ）は、下り制御情報（Ｄｏｗｎｌｉｎｋ  Ｃｏｎｔｒｏｌ  Ｉｎｆｏｒｍａｔｉｏｎ、ＤＣＩ）におけるＢＷＰ指示フィールドにより帯域幅パートＢＷＰを動的に切り替えることができ、ユーザ機器ＵＥは、該ＢＷＰ指示フィールドが前のＢＷＰ指示フィールドと情報が異なると検出すれば、帯域幅パートＢＷＰの切り替えを行う必要があることを確定する。また、現在の規格の定義によれば、時間分割多重（Ｔｉｍｅ  Ｄｉｖｉｓｉｏｎ  Ｄｕｐｌｅｘｉｎｇ、ＴＤＤ）システムはＤＬ  ＢＷＰ（下りリンク帯域幅パート）とＵＬ  ＢＷＰ（上りリンク帯域幅パート）との中心キャリア周波数が同じであることを確保する必要があり、ＴＤＤシステムは、ＤＬ  ＢＷＰ（下りリンク帯域幅パート）が切り替えられると、ＵＬ  ＢＷＰ（上りリンク帯域幅パート）も切り替えられる必要があることを意味する。
【００２３】
図１に示すように、図において、Ｕのブロックは上りスロットを表し、Ｄのブロックは下りスロットを表す。アグリゲーションされたスロット長が４で、且つ、アグリゲーションされた４つの上りスロットの間にアグリゲーションされた４つの下りスロットにおける２つの下りスロットが挿入されると仮定すると、ユーザ機器ＵＥが上りスロットアグリゲーション伝送を行う過程において帯域幅パートＢＷＰの切り替えが発生した場合、ユーザ機器ＵＥは元のＵＬ  ＢＷＰ（上りリンク帯域幅パート）に従ってスロットアグリゲーション伝送を行い続ければ、伝送が失敗してしまう可能性がある。
【００２４】
図２に示すように、本願の一実施例は伝送方法を提出し、ステップ２００を含む。
【００２５】
ステップ２００において、スロットアグリゲーション伝送を行う過程において第１所定条件を満たした場合、アグリゲーションされたスロットにおける伝送されていないスロットでのデータ伝送を停止する。
【００２６】
本願の実施例において、スロットアグリゲーション伝送における１つ目のスロットの伝送は、第１下り制御情報により指示されるまたは無線リソース制御メッセージにより設定される。
【００２７】
ここで、第１下り制御情報ＤＣＩはスケジューリングベース（ｇｒａｎｔ  ｂａｓｅｄ）の伝送に使用され、ＲＲＣメッセージはスケジューリングフリー（ｇｒａｎｔ  ｆｒｅｅ）の伝送に使用される。
【００２８】
例えば、第１下り制御情報ＤＣＩは、スロットアグリゲーション伝送における１つ目のスロットの伝送に使用される周波数領域リソース、時間領域シンボル、変調符号化方式、コードストリーム数、伝送層数、および冗長バージョン（Ｒｅｄｕｎｄａｎｃｙ  Ｖｅｒｓｉｏｎ、ＲＶ）番号等を動的に指示する。
【００２９】
また、例えば、ＲＲＣは、スロットアグリゲーション伝送における１つ目のスロットの伝送に使用される周波数領域リソース、使用される時間領域シンボル、使用される変調符号化方式、コードストリーム数、伝送層数、およびＲＶ番号等を準静的に設定する。
【００３０】
本願の実施例において、データは、物理上り制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）と、物理上り共用チャネル（Ｐｈｙｓｉｃａｌ  Ｕｐｌｉｎｋ  Ｓｈａｒｅｄ  Ｃｈａｎｎｅｌ、ＰＵＳＣＨ）と、物理下り共用チャネル（Ｐｈｙｓｉｃａｌ  Ｄｏｗｎｌｉｎｋ  Ｓｈａｒｅｄ  Ｃｈａｎｎｅｌ、ＰＤＳＣＨ）と、物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）と、のいずれか１種で搬送（またはベアラ）される。
【００３１】
本願の実施例において、第１所定条件は、帯域幅パートの切り替えが発生したことと、第３下り制御情報における帯域幅パート指示フィールドが前記第１下り制御情報における帯域幅パート指示フィールドと異なることと、第３下り制御情報における帯域幅パート指示フィールドが第４下り制御情報における帯域幅パート指示フィールドと異なることと、第３下り制御情報における少なくとも１つの追加ビットフィールドまたは帯域幅パート指示フィールド以外の他のビットフィールドが第２所定条件を満たすことと、切り替え後の帯域幅パートのサブキャリア間隔が切り替え前の帯域幅パートのサブキャリア間隔と異なることと、切り替え後の帯域幅パートの大きさが切り替え前の帯域幅パートの大きさと異なることと、の少なくとも１種を含み、前記第３下り制御情報および前記第４下り制御情報は、非アグリゲーション伝送のスロットのデータ伝送を指示するために用いられる。
【００３２】
ここで、第３下り制御情報における少なくとも１つの追加ビットフィールドまたは帯域幅パート指示フィールド以外の他のビットフィールドが第２所定条件を満たすことは、追加ビットフィールドまたは帯域幅パート指示フィールド以外の他のビットフィールドが、アグリゲーションされたスロットにおける伝送されていないスロットでのデータ伝送を停止することを指示することと、追加ビットフィールドまたは帯域幅パート指示フィールド以外の他のビットフィールドの所定状態が、アグリゲーションされたスロットにおける伝送されていないスロットでのデータ伝送を停止することを指示することと、
の少なくとも１つを含む。
【００３３】
ここで、追加ビットフィールドまたは帯域幅パート指示フィールド以外の他のビットフィールドにより、アグリゲーションされたスロットにおける伝送されていないスロットでのデータ伝送を停止することを明示的または暗黙的に指示することができる。
【００３４】
例えば、帯域幅パートＢＷＰの切り替えが発生すれば、後続のスロットアグリゲーションでのデータ伝送を停止する。
【００３５】
または、帯域幅パートＢＷＰの切り替えが発生し、且つ切り替え後の帯域幅パートＢＷＰのサブキャリア間隔が切り替え前のサブキャリア間隔と異なれば、後続のスロットアグリゲーションでのデータ伝送を停止する。
【００３６】
または、帯域幅パートＢＷＰの切り替えが発生し、且つ切り替え後の帯域幅パートＢＷＰの大きさが切り替え前の帯域幅パートＢＷＰの大きさと異なれば、後続のスロットアグリゲーションでのデータ伝送を停止する。
【００３７】
または、帯域幅パートＢＷＰの切り替えが発生し、切り替え後の帯域幅パートＢＷＰの大きさが切り替え前の帯域幅パートＢＷＰの大きさと異なり、且つ切り替え後の帯域幅パートＢＷＰのサブキャリア間隔が切り替え前の帯域幅パートＢＷＰのサブキャリア間隔と異なれば、後続のスロットアグリゲーションでのデータ伝送を停止する。
【００３８】
または、１つのビットフィールドを追加することにより、後続のスロットアグリゲーションでのデータ伝送を停止することを明示的に指示する。
【００３９】
または、ＢＷＰ指示フィールドのビットフィールドにより、帯域幅パートＢＷＰの切り替えが発生したか否かを指示し、ＢＷＰ指示フィールドが帯域幅パートＢＷＰの切り替えが発生したことを指示すれば、後続のスロットアグリゲーションでのデータ伝送を停止することを暗黙的に指示する。
【００４０】
または、周波数領域リソース割り当てフィールドの所定状態により、後続のスロットアグリゲーションでのデータ伝送を停止し、例えば、周波数領域リソース割り当てフィールドにおけるビットを全て１に設定するか、または全て０に設定する。
【００４１】
本願の実施例において、ユーザ機器ＵＥは、５Ｇ基地局ｇＮＢから送信された第３下り制御情報ＤＣＩにおけるＢＷＰ指示フィールドが第１下り制御情報ＤＣＩにおけるＢＷＰ指示フィールドと同じであるか否かに基づき、帯域幅パートＢＷＰの切り替えが発生したか否かを判断することができる。一実施例において、第３下り制御情報ＤＣＩにおけるＢＷＰ指示フィールドが第１下り制御情報ＤＣＩにおけるＢＷＰ指示フィールドと異なる場合、帯域幅パートＢＷＰの切り替えが発生したことを確定し、第３下り制御情報ＤＣＩにおけるＢＷＰ指示フィールドが第１下り制御情報ＤＣＩにおけるＢＷＰ指示フィールドと同じである場合、帯域幅パートＢＷＰの切り替えが発生していないことを確定する。
【００４２】
例えば、図３は、４スロットの上りアグリゲーション伝送の模式図である。該上りアグリゲーション伝送の１つ目のスロット（ｓｌｏｔ）は、１つ目のＵスロット（すなわち、上りスロット）の前に送信された下り制御情報ＤＣＩ（ＵＬ  ｇｒａｎｔ）、すなわち、前記第１下り制御情報ＤＣＩにより、データを伝送することを指示する。第１下り制御情報ＤＣＩにおけるＢＷＰ指示フィールドは、例えば００であり、使用されるＢＷＰ  ＩＤが１であることを表す。図において、１つ目のＤスロット（すなわち、下りスロット）で帯域幅パートＢＷＰの切り替えが発生し、ユーザ機器ＵＥは該スロットで、下り制御情報ＤＣＩ（ＤＬ  ｇｒａｎｔ）、すなわち、前記第３下り制御情報ＤＣＩを受信する。第３下り制御情報ＤＣＩにおけるＢＷＰ指示フィールドは、例えば０１であり、使用されるＢＷＰ  ＩＤが２であることを表すと、帯域幅パートＢＷＰの切り替えが発生し、ＢＷＰ１からＢＷＰ２に変化したことを示す。ＴＤＤフレーム構造は、下り帯域幅パートＢＷＰが変化すると、時間分割多重ＴＤＤの上り中心周波数点と下り中心周波数点とが一致することを確保するために、上り帯域幅パートＢＷＰも変化する必要がある。前記第３下り制御情報ＤＣＩとはＤＬ  ｇｒａｎｔを指し、下りデータ伝送に用いられ、非上りアグリゲーション伝送のスロットを占める。
【００４３】
本願の実施例において、ユーザ機器ＵＥは、更に、５Ｇ基地局ｇＮＢから送信された第３下り制御情報ＤＣＩにおけるＢＷＰ指示フィールドが第４下り制御情報ＤＣＩにおけるＢＷＰ指示フィールドと同じであるか否かに基づき、帯域幅パートＢＷＰの切り替えが発生したか否かを判断することができる。一実施例において、第３下り制御情報ＤＣＩにおけるＢＷＰ指示フィールドが第４下り制御情報ＤＣＩにおけるＢＷＰ指示フィールドと異なる場合、帯域幅パートＢＷＰの切り替えが発生したことを確定し、第３下り制御情報ＤＣＩにおけるＢＷＰ指示フィールドが第４下り制御情報ＤＣＩにおけるＢＷＰ指示フィールドと同じである場合、帯域幅パートＢＷＰの切り替えが発生していないことを確定する。
【００４４】
例えば、図３に示すように、４スロットの上りアグリゲーション伝送の模式図であり、１つ目のＵスロットの前に送信された下り制御情報ＤＣＩ（ＤＬ  ｇｒａｎｔ）、すなわち、前記第４下り制御情報ＤＣＩは、下りデータを伝送することを指示し、第４下り制御情報ＤＣＩにおけるＢＷＰ指示フィールドは、例えば１０であり、使用されるＢＷＰ  ＩＤが３であることを表し、図において、１つ目のＤスロットで帯域幅パートＢＷＰの切り替えが発生し、ユーザ機器ＵＥは該スロットで、下り制御情報ＤＣＩ（ＤＬ  ｇｒａｎｔ）、すなわち、前記第３下り制御情報ＤＣＩを受信し、第３下り制御情報ＤＣＩにおけるＢＷＰ指示フィールドは、例えば０１であり、使用されるＢＷＰ  ＩＤが２であることを表すと、帯域幅パートＢＷＰの切り替えが発生し、ＢＷＰ３からＢＷＰ２に変化したことを示す。ＴＤＤフレーム構造は、下りの帯域幅パートＢＷＰが変化すると、時間分割多重ＴＤＤの上り、下り中心周波数点が一致することを確保するために、上りの帯域幅パートＢＷＰも変化する必要があり、前記第３下り制御情報ＤＣＩおよび第４下り制御情報ＤＣＩとはＤＬ  ｇｒａｎｔを指し、下りデータ伝送に用いられ、非上りアグリゲーション伝送のスロットを占める。
【００４５】
本願の実施例において、上記スロットアグリゲーションは上りスロットアグリゲーションであってもよく、帯域幅パートＢＷＰはＵＬ  ＢＷＰ（上りリンク帯域幅パート）であってもよく、または、スロットアグリゲーションは下りスロットアグリゲーションであってもよく、帯域幅パートＢＷＰはＤＬ  ＢＷＰ（下りリンク帯域幅パート）であってもよい。
【００４６】
例えば、ＴＤＤシステムは、ＤＬ  ＢＷＰ（下りリンク帯域幅パート）とＵＬ  ＢＷＰ（上りリンク帯域幅パート）との中心キャリア周波数が同じであることを確保する必要があるため、ＤＬ  ＢＷＰ（下りリンク帯域幅パート）の切り替えが発生すると、ＵＬ  ＢＷＰ（上りリンク帯域幅パート）の切り替えは必ず発生する。同様に、ＵＬ  ＢＷＰ（上りリンク帯域幅パート）の切り替えが発生すると、ＤＬ  ＢＷＰ（下りリンク帯域幅パート）の切り替えは必ず発生する。これにより、後続のスロットでのデータ伝送を停止することができる。図３に示すように、図において、Ｕは上りスロットで、Ｄは下りスロットであり、アグリゲーションされたスロット長が４であり、且つ、アグリゲーションされた４つの上りスロットの間にアグリゲーションされた４つの下りスロットにおける２つの下りスロットが挿入されると仮定すると、下りスロット伝送中に帯域幅パートＢＷＰの切り替えが発生した場合、ユーザ機器ＵＥは、後続の２つの上りスロットでのデータ伝送を停止し、図における×付きの２つの上りスロットに示すとおりである。
【００４７】
また、例えば、切り替え前の帯域幅パートＢＷＰが切り替え後の帯域幅パートＢＷＰよりも大きい場合、切り替え前の帯域幅パートＢＷＰのリソースブロック（Ｒｅｓｏｕｒｃｅ  Ｂｌｏｃｋ、ＲＢ）と切り替え後の帯域幅パートＢＷＰのＲＢとの間でマッピングが完了できばいと、アグリゲーションされたスロットにおける伝送されていないスロットでのデータ伝送を停止する必要がある。
【００４８】
一実施例において、該方法は、ステップ２０１を更に含む。
【００４９】
ステップ２０１において、第２下り制御情報に応じて伝送されていないスロットでのデータ伝送を指示する。
【００５０】
本願の実施例において、伝送されていないスロットで伝送されるデータは、伝送されたスロットで伝送されるデータと同じであってもよいし、異なってもよい。
【００５１】
図４に示すように、図において、Ｕは上りスロットで、Ｄは下りスロットであり、アグリゲーションされたスロット長が４で、且つ、アグリゲーションされた４つの上りスロットの間にアグリゲーションされた４つの下りスロットにおける２つの下りスロットが挿入されると仮定すると、下りスロット伝送中に帯域幅パートＢＷＰの切り替えが発生した場合、ユーザ機器ＵＥは、後続の２つの上りスロットでのデータ伝送を停止し、図における×付きの２つの上りスロットに示すとおりである。且つ、第２下り制御情報（すなわち、図４におけるスケジューリング（Ｇｒａｎｔ）シグナリング）に基づいて伝送されていないスロットでデータを伝送する。
【００５２】
本願の実施例は、スロットアグリゲーション伝送を行う過程において第１所定条件を満たした場合、アグリゲーションされたスロットにおける伝送されていないスロットでのデータ伝送を停止することを含む。本願の実施例は、アグリゲーションされたスロットにおける伝送されていないスロットでのデータ伝送を停止することにより、アグリゲーションされたスロットにおける伝送されていないスロットでのデータ伝送が失敗するという問題がなく、スロットアグリゲーション伝送中に帯域幅パートＢＷＰの切り替えが発生した場合のスロットアグリゲーション伝送の成功率を向上させる。
【００５３】
図５に示すように、本願の別の実施例は伝送方法を提出し、ステップ５００を含む。
【００５４】
ステップ５００において、スロットアグリゲーション伝送を行う過程において帯域幅パートの切り替えが発生した場合、切り替え前の帯域幅パートを切り替え後の帯域幅パートにマッピングし、前記切り替え後の帯域幅パートを用い、アグリゲーションされたスロットにおける伝送されていないスロットでデータを伝送する。
【００５５】
本願の実施例において、切り替え前の帯域幅パートを切り替え後の帯域幅パートにマッピングすることは、前記切り替え前の帯域幅パートのｉ個目のリソースブロックを前記切り替え後の帯域幅パートのｉ個目のリソースブロックにマッピングし、ｉは０以上の整数であることと、切り替え前の帯域幅パートのｉ個目のリソースブロックを切り替え後の帯域幅パートの（ｉ＋△）または（ｉ−△）個目のリソースブロックにマッピングし、ｉ、△は０以上の整数であることと、
前記切り替え前の帯域幅パートの第１リソースブロックを前記切り替え後の帯域幅パートの第２リソースブロックにマッピングし、第１リソースブロックの周波数領域位置と第２リソースブロックの周波数領域位置とが同じであることと、切り替え前の帯域幅パートのｉ個目のリソースブロックを切り替え後の帯域幅パートの（ｉ  ｍｏｄ  Ｘ）個目のリソースブロックにマッピングし、Ｘは切り替え後の帯域幅パートのリソースブロックの個数であることと、前記切り替え前の帯域幅パートのリソースブロックを前記切り替え後の帯域幅パートの最も低いリソースブロックからマッピングし始めることと、の少なくとも１種を含む。
【００５６】
例えば、切り替え前の帯域幅パートが切り替え後の帯域幅パート以下である場合、切り替え前の帯域幅パートのｉ個目のリソースブロックを切り替え後の帯域幅パートの（ｉ＋△）または（ｉ−△）個目のリソースブロックにマッピングし、ここで、ｉ、△は０以上の整数である。図６（ａ）に示すように、切り替え前の帯域幅パートＢＷＰが（ｎ＋１）個のＲＢを含み、それぞれＲＢ０、ＲＢ１、……、ＲＢｎであり、切り替え後の帯域幅パートＢＷＰが（ｍ＋１）個のＲＢを含み、それぞれＲＢ０、ＲＢ１、……、ＲＢｍであり、ｍがｎよりも大きく、ユーザ機器ＵＥに割り当てられたＲＢがＲＢ２、ＲＢ３、ＲＢ４、……、ＲＢ（ｎ−１）を含むと仮定すると、ユーザ機器ＵＥのＲＢ２は切り替え後の帯域幅パートＢＷＰのＲＢ２にマッピングされ、ユーザ機器ＵＥのＲＢ３は切り替え後の帯域幅パートＢＷＰのＲＢ３にマッピングされ、以降は同様にし、ユーザ機器ＵＥのＲＢ（ｎ−１）は切り替え後の帯域幅パートＢＷＰのＲＢ（ｎ−１）にマッピングされる。つまり、上記△は０である。
【００５７】
また、例えば、図６（ｂ）に示すように、切り替え前の帯域幅パートＢＷＰが（ｎ＋１）個のＲＢを含み、それぞれＲＢ０、ＲＢ１、……、ＲＢｎであり、切り替え後の帯域幅パートＢＷＰが（ｍ＋１）個のＲＢを含み、それぞれＲＢ０、ＲＢ１、……、ＲＢｍであり、ｍがｎよりも大きく、ユーザ機器ＵＥに割り当てられたＲＢがＲＢ２、ＲＢ３、ＲＢ４、……、ＲＢ（ｎ−１）を含むと仮定すると、ユーザ機器ＵＥのＲＢ２は切り替え後の帯域幅パートＢＷＰのＲＢ４にマッピングされ、ユーザ機器ＵＥのＲＢ３は切り替え後の帯域幅パートＢＷＰのＲＢ５にマッピングされ、以降は同様にし、ユーザ機器ＵＥのＲＢ（ｎ−１）は切り替え後の帯域幅パートＢＷＰのＲＢ（ｎ＋１）にマッピングされる。つまり、上記△は２である。
【００５８】
別の視点から、切り替え前の帯域幅パートＢＷＰのＲＢ２の周波数領域リソース位置と切り替え後の帯域幅パートＢＷＰのＲＢ４の周波数領域リソース位置とが同じであり、切り替え前の帯域幅パートＢＷＰのＲＢ３の周波数領域リソース位置と切り替え後の帯域幅パートＢＷＰのＲＢ５の周波数領域リソース位置とが同じであり、以降は同様にし、切り替え前の帯域幅パートＢＷＰのＲＢ（ｎ−１）の周波数領域リソース位置と切り替え後の帯域幅パートＢＷＰのＲＢ（ｎ＋１）の周波数領域リソース位置とが同じであれば、ユーザ機器ＵＥのＲＢ２は切り替え後の帯域幅パートＢＷＰのＲＢ４にマッピングされ、ユーザ機器ＵＥのＲＢ３は切り替え後の帯域幅パートＢＷＰのＲＢ５にマッピングされ、以降は同様にし、ユーザ機器ＵＥのＲＢ（ｎ−１）は切り替え後の帯域幅パートＢＷＰのＲＢ（ｎ＋１）にマッピングされる。
【００５９】
また、例えば、切り替え前の帯域幅パートが切り替え後の帯域幅パート以上である場合、切り替え前の帯域幅パートのｉ個目のリソースブロックを切り替え後の帯域幅パートの（ｉ  ｍｏｄ  Ｘ）個目のリソースブロックにマッピングし、ここで、Ｘは切り替え後の帯域幅パートのリソースブロックの個数である。図６（ｃ）に示すように、切り替え前の帯域幅パートＢＷＰが（ｍ＋１）個のＲＢを含み、それぞれＲＢ０、ＲＢ１、……、ＲＢｍであり、切り替え後の帯域幅パートＢＷＰが（ｎ＋１）個のＲＢを含み、それぞれＲＢ０、ＲＢ１、……、ＲＢｎであり、ｍがｎよりも大きく、ユーザ機器ＵＥに割り当てられたＲＢがＲＢ４、ＲＢ５、ＲＢ６、……、ＲＢ（ｎ−２）を含むと仮定すると、ユーザ機器ＵＥのＲＢ４は切り替え後の帯域幅パートＢＷＰのＲＢ（４ｍｏｄ（ｎ＋１））にマッピングされ、ユーザ機器ＵＥのＲＢ５は切り替え後の帯域幅パートＢＷＰのＲＢ（５ｍｏｄ（ｎ＋１））にマッピングされ、以降は同様にし、ユーザ機器ＵＥのＲＢ（ｎ−２）は切り替え後の帯域幅パートＢＷＰのＲＢ（（ｎ−２）ｍｏｄ（ｎ＋１））にマッピングされる。
【００６０】
また、例えば、切り替え前の帯域幅パートが切り替え後の帯域幅パート以上である場合、切り替え前の帯域幅パートのリソースブロックを切り替え後の帯域幅パートの最も低いリソースブロックからマッピングし始める。
【００６１】
また、例えば、切り替え前の帯域幅パートＢＷＰ１が５０個のＲＢであり、切り替え後の帯域幅パートＢＷＰ２が２０ＲＢに変わり、帯域幅パートＢＷＰ１におけるユーザ機器ＵＥに割り当てられた上りデータ伝送に用いられるリソースブロックの数が１０であり、ＲＢ１１〜ＲＢ１１２０の周波数領域位置を占め、最も低いリソースブロックマッピングの方法を採用すれば、直接、帯域幅パートＢＷＰ２における２０ＲＢにおけるＲＢ０〜ＲＢ９にマッピングされる。
【００６２】
また、例えば、切り替え前の帯域幅パートが切り替え後の帯域幅パート以上である場合、リソースブロックの数が多すぎてマッピングを完了できないと、小帯域幅の帯域幅パートＢＷＰを基準としてマッピングしてもよく、ユーザ機器ＵＥまたは５Ｇ基地局ｇＮＢは更にレートマッチングを行い、レートマッチングとは、伝送チャネル上のビットがパンクチャまたは再送されることで、物理チャネルのベアラ能力に合わせ、チャネルのマッピング時に伝送に要求されるビットレートに達することを指す。切り替え前の帯域幅パートＢＷＰ１が５０個のＲＢであり、切り替え後の帯域幅パートＢＷＰ２が１０ＲＢに変わり、帯域幅パートＢＷＰ１におけるユーザ機器ＵＥに割り当てられた上りデータ伝送に用いられるリソースブロックの数が２０であり、ＲＢ１〜ＲＢ２０の周波数領域位置を占めると、１０ＲＢのみをマッピングし、他の１０ＲＢをマッピングしない。
【００６３】
他の場合は同様に類推する。
【００６４】
一実施例において、切り替え前の帯域幅パートを切り替え後の帯域幅パートにマッピングした後、該方法は、前記切り替え後の帯域幅パートをホッピング（ｈｏｐｐｉｎｇ）処理することと、ホッピング処理後の切り替え後の帯域幅パートを用い、前記伝送されていないスロットでデータを伝送することと、を更に含む。
【００６５】
本願の実施例において、切り替え後の帯域幅パートをホッピング処理することは、前記切り替え後の帯域幅パートの大きさに基づいてホッピング計算を行うことを含む。
【００６６】
一実施例において、以下の数式に従って切り替え後の帯域幅パートＢＷＰをホッピング処理する。
【００６７】
【数１】
2021517780.tif 000003
【００６８】
【表１】
2021517780.tif 000004
【００６９】
本願の実施例において、前記切り替え後の帯域幅パートをホッピング処理する前に、ホッピングスロットカウンタをリセットするか、または、ホッピングスロットカウンタをリセットしないことを更に含み、前記切り替え後の帯域幅パートをホッピング処理することは、リセットされたホッピングスロットカウンタまたはリセットされないホッピングスロットカウンタに基づいて前記切り替え後の帯域幅パートをホッピング処理することを含む。
【００７０】
上記ホッピングスロットカウンタに基づいて切り替え後の帯域幅パートをホッピング処理することとは、切り替え後の帯域幅パートをホッピング処理する過程において使用される現在のスロット番号がスロットカウンタから得られることを意味し、帯域幅パートＢＷＰの切り替え後、スロットカウンタをリセットしてもよいし、リセットしなくてもよい。例えば、現在の規格におけるスロット間のホッピング方法によれば、偶数のスロットはホッピングしないが、奇数のスロットはホッピングし、４つのスロットをアグリゲーション伝送する場合、スロットカウンタ（０  １  ２  ３）が増加し、帯域幅パートＢＷＰの切り替えが発生すれば、そのまま保持してもよいし、リセットしてもよい。３つ目のスロットで帯域幅パートＢＷＰの切り替えが発生すれば、３つ目のスロットタイマのカウントはゼロから（０  １  ０  １）となり、４つ目のスロットで帯域幅パートＢＷＰの切り替えが発生すれば、４つ目のスロットタイマのカウントはゼロから（０  １  ２  ０）となり、また、前記スロットをカウントする時、非上りスロット（例えば、下りスロットまたは特殊なスロットＳ）を含む可能性があり、図１に示すＵＵＤＤＵＵは、カウントがそれぞれ（０１２３４５）であり、スロットカウンタが帯域幅パートＢＷＰの切り替えによりリセットされると、カウントは（０１２０１２）になる可能性がある。
【００７１】
本願の実施例において、上記切り替え後の周波数領域オフセットは、元の下り制御情報ＤＣＩにおけるホッピング指示フィールドにより指示をゼロパディングまたは切断することができる。例えば、切り替え前の帯域幅パートＢＷＰの帯域幅が５０よりも小さく、切り替え後の帯域幅パートＢＷＰの帯域幅が５０以上である場合、周波数領域オフセットは、元の下り制御情報ＤＣＩにおけるホッピング指示フィールドにより指示をゼロパディングすることができる。つまり、切り替え前の周波数領域オフセットが０および１で指示されると、切り替え後の周波数領域オフセットは００および０１で指示されてもよい。
【００７２】
切り替え前の帯域幅パートＢＷＰの帯域幅が５０以上であり、切り替え後の帯域幅パートＢＷＰの帯域幅が５０よりも小さい場合、周波数領域オフセットは、元の下り制御情報ＤＣＩにおけるホッピング指示フィールドにより指示を切断することができる。つまり、切り替え前の周波数領域オフセットが００、０１、１０および１１で指示されると、切り替え後の周波数領域オフセットは０および１で指示されてもよい。
【００７３】
また、本願の実施例において、スロットアグリゲーション伝送における１つ目のスロットの伝送は下り制御情報により指示されるまたは無線リソース制御メッセージにより設定される。
【００７４】
ここで、第１下り制御情報ＤＣＩは、スケジューリングベース（ｇｒａｎｔ  ｂａｓｅｄ）の伝送に使用され、ＲＲＣメッセージは、スケジューリングフリー（ｇｒａｎｔ  ｆｒｅｅ）の伝送に使用される。
【００７５】
例えば、第１下り制御情報ＤＣＩは、スロットアグリゲーション伝送における１つ目のスロットの伝送に使用される周波数領域リソース、時間領域シンボル、変調符号化方式、コードストリーム数、伝送層数、および冗長バージョン（Ｒｅｄｕｎｄａｎｃｙ  Ｖｅｒｓｉｏｎ、ＲＶ）番号等を動的に指示する。
【００７６】
また、例えば、ＲＲＣは、スロットアグリゲーション伝送における１つ目のスロットの伝送に使用される周波数領域リソース、使用される時間領域シンボル、使用される変調符号化方式、コードストリーム数、伝送層数、およびＲＶ番号等を準静的に設定する。
【００７７】
本願の実施例において、データは、物理上り制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）と、物理上り共用チャネル（Ｐｈｙｓｉｃａｌ  Ｕｐｌｉｎｋ  Ｓｈａｒｅｄ  Ｃｈａｎｎｅｌ、ＰＵＳＣＨ）と、物理下り共用チャネル（Ｐｈｙｓｉｃａｌ  Ｄｏｗｎｌｉｎｋ  Ｓｈａｒｅｄ  Ｃｈａｎｎｅｌ、ＰＤＳＣＨ）と、物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）と、のいずれか１種にベアラされる。
【００７８】
本願の実施例は、スロットアグリゲーション伝送を行う過程において帯域幅パートの切り替えが発生した場合、切り替え前の帯域幅パートを切り替え後の帯域幅パートにマッピングし、前記切り替え後の帯域幅パートを用い、アグリゲーションされたスロットにおける伝送されていないスロットでデータを伝送することを含む。本願の実施例は、切り替え後の帯域幅パートを用い、アグリゲーションされたスロットにおける伝送されていないスロットでデータを伝送することにより、前記伝送されていないスロットでのデータの伝送が成功し、スロットアグリゲーション伝送中に帯域幅パートＢＷＰの切り替えが発生した場合のスロットアグリゲーション伝送の成功率を向上させる。
【００７９】
図７に示すように、本願の別の実施例は伝送方法を提出し、ステップ７００およびステップ７０１を含む。
【００８０】
ステップ７００において、時間領域情報および周波数領域情報のうちの少なくとも１つに基づき、スロットアグリゲーション伝送に用いられる正当なスロットを確定する。
【００８１】
本願の実施例において、時間領域情報は、開始長さインディケータ（ｔｈｅ  ｓｔａｒｔ  ａｎｄ  ｌｅｎｇｔｈ  ｉｎｄｉｃａｔｏｒ、ＳＬＩＶ）と、時間領域シンボルの開始位置と、時間領域シンボルの継続長さと、帯域幅パートの変換時間と、の少なくとも１つを含む。
【００８２】
ここで、帯域幅パートの変換時間は、
【数２】
2021517780.tif 000005
である。ここで、ｎは下り制御情報ＤＣＩをスケジューリングするスロットである。Ｋ０は下り制御情報ＤＣＩをスケジューリングするスロットから下りデータを受信するスロットまでの間の間隔である。Ｋ２は下り制御情報ＤＣＩをスケジューリングするスロットから上りデータを送信するスロットまでの間の間隔である。μＰＤＳＣＨは物理下り共用チャネル（Ｐｈｙｓｉｃａｌ  Ｄｏｗｎｌｉｎｋ  Ｓｈａｒｅｄ  Ｃｈａｎｎｅｌ、ＰＤＳＣＨ）が採用するサブキャリア間隔である。μＰＤＣＣＨは物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）が採用するサブキャリア間隔である。
【００８３】
例えば、図８（ａ）に示すように、４スロットの上りアグリゲーション伝送を行うと仮定すると、１つ目のアグリゲーションされたスロットで伝送が占有する時間領域シンボルは０〜４であり、時間領域シンボルの開始位置は０個目のシンボルであり、時間領域シンボルの継続長さは５つのシンボルである。図において、Ｕは全下りシンボルスロットであり、Ｄは全上りシンボルスロットであり、Ｓは非全上りシンボルスロットである。図８（ａ）に示す２つ目のＳスロットの０〜４シンボルが、下りシンボルまたは未知（ｕｎｋｎｏｗｎ）のシンボルにより占有されると、時間領域データがマッピングを完了できないことを意味し、図８（ｂ）に示すように、該スロットが正当なスロットではなく、スロットアグリゲーション伝送を行うことができないと考えられ、該スロットをスキップして直接次の使用可能なスロットを更に判断し、次のＵスロットにおける０〜４シンボルが使用可能であると見出されると、該スロットが正当なスロットでスロットアグリゲーション伝送に使用可能であると考えられる。
【００８４】
また、例えば、ＳＬＩＶにより、１つ目のアグリゲーションされたスロットで伝送が占有する時間領域シンボルが０〜６であり、時間領域シンボルの開始位置が０個目のシンボルであり、時間領域シンボルの継続長さが７個のシンボルであることを指示し、図８（ａ）に示す２つ目のＳスロットの０〜６シンボルが使用可能であれば、時間領域データがマッピングを完了できることを意味し、該スロットが正当なスロットで上りスロットアグリゲーション伝送に使用可能であると考えられる。
【００８５】
また、例えば、帯域幅パートＢＷＰの切り替えが発生するため、帯域幅パートＢＷＰの切り替えの遅延の存在により、帯域幅パートＢＷＰの変換時間内にユーザ機器ＵＥはデータを送受信できなくなり、図８（ｃ）、図８（ｄ）に示すように、帯域幅パートＢＷＰの変換時間Ｋ２またはＫ０内に、これらのスロットは不正なスロットであり、上りスロットアグリゲーション伝送に使用不可であり、変換時間後の他の使用可能なスロットを判断し続ける。
【００８６】
本願の実施例において、周波数領域情報は、帯域幅パートのサブキャリア間隔と、切り替え後の帯域幅パートのサブキャリア間隔と、帯域幅パートの大きさと、切り替え後の帯域幅パートの大きさと、帯域幅パートの周波数領域位置と、切り替え後の帯域幅パートの周波数領域位置と、の少なくとも１つを含み、リソース割り当てフィールドが所定状態であり、例えば、リソース割り当てフィールドは空（Ｎｕｌｌ）である。
【００８７】
例えば、切り替え前の帯域幅パートＢＷＰと切り替え後の帯域幅パートＢＷＰとの大きさが異なり、切り替え前の帯域幅パートＢＷＰの大きさは５０ＲＢで、切り替え後の帯域幅パートＢＷＰの大きさは２０ＲＢであり、且つ、リソース割り当てが２５ＲＢで、切り替え後の帯域幅パートＢＷＰに完全にマッピングすることができないと、該スロットは正当なスロットではなく、アグリゲーション伝送を行うことができないと考えられる。
【００８８】
また、例えば、切り替え前の帯域幅パートＢＷＰと切り替え後の帯域幅パートＢＷＰとのサブキャリア間隔が異なると、該スロットが正当なスロットではなく、アグリゲーション伝送を行うことができないと考えられる。または、切り替え前の帯域幅パートＢＷＰと切り替え後の帯域幅パートＢＷＰとの周波数領域位置が異なると、該スロットが正当なスロットではなく、アグリゲーション伝送を行うことができないと考えられる。または、切り替え後の帯域幅パートＢＷＰを指示するためのリソース割り当てフィールドがＮｕｌｌに設定されると、該スロットが正当なスロットではなく、アグリゲーション伝送を行うことができないと考えられる。または、切り替え後の帯域幅パートＢＷＰを指示するためのリソース割り当てフィールドが所定状態に設定されると、該スロットが正当なスロットではないと考えられ、例えば、リソース割り当てフィールドは全て０または全て１に設定され、アグリゲーション伝送を行うことができない。
【００８９】
本願の実施例において、時間領域情報および周波数領域情報は、単独でスロットが合格のスロットであるか否かの判断指標としてもよいし、合わせてスロットが合格のスロットであるか否かの判断指標としてもよい。
【００９０】
ステップ７０１において、前記正当なスロットでデータを伝送する。
【００９１】
本願の実施例において、スロットアグリゲーション伝送における１つ目のスロットの伝送は、下り制御情報により指示されるまたは無線リソース制御メッセージにより設定される。
【００９２】
ここで、第１下り制御情報ＤＣＩは、スケジューリングベース（ｇｒａｎｔ  ｂａｓｅｄ）の伝送に使用され、ＲＲＣメッセージは、スケジューリングフリー（ｇｒａｎｔ  ｆｒｅｅ）の伝送に使用される。
【００９３】
例えば、第１下り制御情報ＤＣＩは、スロットアグリゲーション伝送における１つ目のスロットの伝送に使用される周波数領域リソース、時間領域シンボル、変調符号化方式、コードストリーム数、伝送層数、および冗長バージョン（Ｒｅｄｕｎｄａｎｃｙ  Ｖｅｒｓｉｏｎ、ＲＶ）番号等を動的に指示する。
【００９４】
また、例えば、ＲＲＣは、スロットアグリゲーション伝送における１つ目のスロットの伝送に使用される周波数領域リソース、使用される時間領域シンボル、使用される変調符号化方式、コードストリーム数、伝送層数、およびＲＶ番号等を準静的に設定する。
【００９５】
本願の実施例において、データは、物理上り制御チャネル（Ｐｈｙｓｉｃａｌ  Ｕｐｌｉｎｋ  Ｃｏｎｔｒｏｌ  Ｃｈａｎｎｅｌ、ＰＵＣＣＨ）と、物理上り共用チャネル（Ｐｈｙｓｉｃａｌ  Ｕｐｌｉｎｋ  Ｓｈａｒｅｄ  Ｃｈａｎｎｅｌ、ＰＵＳＣＨ）と、物理下り共用チャネル（Ｐｈｙｓｉｃａｌ  Ｄｏｗｎｌｉｎｋ  Ｓｈａｒｅｄ  Ｃｈａｎｎｅｌ、ＰＤＳＣＨ）と、物理下り制御チャネル（Ｐｈｙｓｉｃａｌ  Ｄｏｗｎｌｉｎｋ  Ｃｏｎｔｒｏｌ  Ｃｈａｎｎｅｌ、ＰＤＣＣＨ）と、のいずれか１種にベアラされる。
【００９６】
図９に示すように、本願の別の実施例は伝送方法を提出し、ステップ９００を含む。
【００９７】
ステップ９００において、スロットアグリゲーションの全てのスロットで同じ帯域幅パートを用いてデータを伝送する。
【００９８】
本願の実施例において、同じ帯域幅パートは、同じ帯域幅パートの大きさ、同じ帯域幅パートのサブキャリア間隔、および同じ周波数領域位置を含む。
【００９９】
図１０に示すように、本願の別の実施例は伝送装置を提出し、処理モジュールを備える。
【０１００】
処理モジュールは、スロットアグリゲーション伝送を行う過程において第１所定条件を満たした場合、アグリゲーションされたスロットにおける伝送されていないスロットでのデータ伝送を停止するように構成される。
【０１０１】
前記スロットアグリゲーション伝送における１つ目のスロットの伝送は、第１下り制御情報により指示されるまたは無線リソース制御メッセージにより設定される。
【０１０２】
一実施例において、伝送モジュールを更に備える。
【０１０３】
伝送モジュールは、第２下り制御情報に応じて前記伝送されていないスロットでのデータ伝送を指示するように構成される。
【０１０４】
前記伝送されていないスロットで伝送されるデータは、伝送されたスロットで伝送されるデータと同じである。
【０１０５】
一実施例において、第１所定条件は、帯域幅パートの切り替えが発生したことと、第３下り制御情報における帯域幅パート指示フィールドが前記第１下り制御情報における帯域幅パート指示フィールドと異なることと、第３下り制御情報における帯域幅パート指示フィールドが第４下り制御情報における帯域幅パート指示フィールドと異なることと、第３下り制御情報における少なくとも１つの他のビットフィールドが第２所定条件を満たすことと、切り替え後の帯域幅パートのサブキャリア間隔が切り替え前の帯域幅パートのサブキャリア間隔と異なることと、切り替え後の帯域幅パートの大きさが切り替え前の帯域幅パートの大きさと異なることと、の少なくとも１種を含み、前記第３下り制御情報および前記第４下り制御情報は、非アグリゲーション伝送のスロットのデータ伝送を指示するために用いられる。
【０１０６】
一実施例において、第３下り制御情報における少なくとも１つの他のビットフィールドが第２所定条件を満たすことは、前記他のビットフィールドが、アグリゲーションされたスロットにおける伝送されていないスロットでのデータ伝送を停止することを明示的に指示することと、前記他のビットフィールドが、アグリゲーションされたスロットにおける伝送されていないスロットでのデータ伝送を停止することを暗黙的に指示することと、前記他のビットフィールドの所定状態が、アグリゲーションされたスロットにおける伝送されていないスロットでのデータ伝送を停止することを指示することと、の少なくとも１つを含む。
【０１０７】
一実施例において、他のビットフィールドは追加ビットフィールドである。
【０１０８】
図１１に示すように、本願の別の実施例は伝送装置を提出し、マッピングモジュールおよび第１伝送モジュールを備える。
【０１０９】
マッピングモジュールは、スロットアグリゲーション伝送を行う過程において帯域幅パートの切り替えが発生した場合、切り替え前の帯域幅パートを切り替え後の帯域幅パートにマッピングするように構成される。
【０１１０】
第１伝送モジュールは、前記切り替え後の帯域幅パートを用い、アグリゲーションされたスロットにおける伝送されていないスロットでデータを伝送するように構成される。
【０１１１】
一実施例において、マッピングモジュールは、更に、スロットアグリゲーション伝送を行う過程において帯域幅パートの切り替えが発生した場合、前記切り替え前の帯域幅パートのｉ個目のリソースブロックを前記切り替え後の帯域幅パートのｉ個目のリソースブロックにマッピングする方法であって、ｉは０以上の整数である方法と、前記切り替え前の帯域幅パートのｉ個目のリソースブロックを前記切り替え後の帯域幅パートの（ｉ＋△）または（ｉ−△）個目のリソースブロックにマッピングする方法であって、ｉ、△は０以上の整数である方法と、前記切り替え前の帯域幅パートの第１リソースブロックを前記切り替え後の帯域幅パートの第２リソースブロックにマッピングする方法であって、第１リソースブロックの周波数領域位置と第２リソースブロックの周波数領域位置とが同じである方法と、前記切り替え前の帯域幅パートのｉ個目のリソースブロックを前記切り替え後の帯域幅パートの（ｉ  ｍｏｄ  Ｘ）個目のリソースブロックにマッピングする方法であって、Ｘは前記切り替え後の帯域幅パートのリソースブロックの個数である方法と、前記切り替え前の帯域幅パートのリソースブロックを前記切り替え後の帯域幅パートの最も低いリソースブロックからマッピングし始める方法と、の少なくとも１種を用い、切り替え前の帯域幅パートを切り替え後の帯域幅パートにマッピングするように構成される。
【０１１２】
一実施例において、第１伝送モジュールは、更に、  前記切り替え後の帯域幅パートをホッピング処理し、ホッピング処理後の前記切り替え後の帯域幅パートを用い、前記伝送されていないスロットでデータを伝送するように構成される。
【０１１３】
一実施例において、第１伝送モジュールは、更に、ホッピングスロットカウンタをリセットするか、または、ホッピングスロットカウンタをリセットせず、リセットされたホッピングスロットカウンタまたはリセットされないホッピングスロットカウンタに基づいて前記切り替え後の帯域幅パートをホッピング処理するように構成される。
【０１１４】
図１２に示すように、本願の別の実施例は伝送装置を提出し、確定モジュールおよび第２伝送モジュールを備える。
【０１１５】
確定モジュールは、時間領域情報および周波数領域情報のうちの少なくとも１つに基づき、スロットアグリゲーション伝送に用いられるスロットであるスロットアグリゲーション伝送の正当なスロットを確定するように構成される。
【０１１６】
第２伝送モジュールは、正当なスロットでデータを伝送するように構成される。
【０１１７】
一実施例において、時間領域情報は、開始長さインディケータと、時間領域シンボルの開始位置と、時間領域シンボルの継続長さと、帯域幅パートの変換時間と、の少なくとも１つを含む。
【０１１８】
ここで、帯域幅パートの変換時間は
【数３】
2021517780.tif 000006
である。ここで、ｎは下り制御情報をスケジューリングするスロットである。Ｋ０は下り制御情報をスケジューリングするスロットから下りデータを受信するスロットまでの間の間隔である。Ｋ２は下り制御情報をスケジューリングするスロットから上りデータを送信するスロットまでの間の間隔である。μＰＤＳＣＨは物理下り共用チャネルが採用するサブキャリア間隔である。μＰＤＣＣＨは物理下り制御チャネルが採用するサブキャリア間隔である。
【０１１９】
一実施例において、周波数領域情報は、帯域幅パートのサブキャリア間隔と、切り替え後の帯域幅パートのサブキャリア間隔と、帯域幅パートの大きさと、切り替え後の帯域幅パートの大きさと、帯域幅パートの周波数領域位置と、切り替え後の帯域幅パートの周波数領域位置と、の少なくとも１つを含み、リソース割り当てフィールドが所定状態である。
【０１２０】
図１３に示すように、本願の別の実施例は伝送装置を提出し、第３伝送モジュールを備える。
【０１２１】
第３伝送モジュールは、スロットアグリゲーションの全てのスロットで同じ帯域幅パートを用いてデータを伝送する。
【０１２２】
上記過程の具体的な実現は、前述した実施例を参照して実現でき、ここでは説明を省略する。
【０１２３】
本願の別の実施例は、プロセッサおよびコンピュータ可読記憶媒体を備える伝送装置であって、前記コンピュータ可読記憶媒体に命令が記憶され、前記命令が前記プロセッサにより実行されると、上記いずれかの伝送方法が実現される伝送装置を提出する。
【０１２４】
本願の別の実施例はコンピュータプログラムが記憶され、前記コンピュータプログラムがプロセッサにより実行されると、上記いずれかの伝送方法が実現されるコンピュータ可読記憶媒体を提出する。
【０１２５】
当業者であれば、上記開示された方法における全てまたは一部のステップ、システム、装置における機能モジュール／ユニットは、ソフトウェア、ファームウェア、ハードウェアおよびその適当な組み合わせとして実施できることが理解され得る。ハードウェアの実施形態において、上記説明に言及された機能モジュール／ユニットの間での区分は、必ずしも物理コンポーネントの区分に対応するとは限らない。例えば、１つの物理コンポーネントは複数の機能を有してもよいし、または１つの機能もしくはステップは、複数の物理コンポーネントにより協働して実行されてもよい。いくつかのコンポーネントまたは全てのコンポーネントは、デジタル信号プロセッサまたはマイクロプロセッサのようなプロセッサにより実行されるソフトウェアとして実施されてもよいし、ハードウェアとして実施されてもよいし、特定用途向け集積回路のような集積回路として実施されてもよいし。このようなソフトウェアはコンピュータ可読媒体に分布されてもよく、コンピュータ可読媒体は、コンピュータ記憶媒体（または非一時的媒体）および通信媒体（または一時的媒体）を含んでもよい。当業者に周知のように、コンピュータ記憶媒体という用語は、情報（例えば、コンピュータ可読命令、データ構造、プログラムモジュールまたは他のデータ）を記憶するための任意の方法または技術で実施される揮発性および不揮発性、取り外し可能および取り外し不可な媒体を含む。コンピュータ記憶媒体は、ランダムアクセスメモリ（Ｒａｎｄｏｍ  Ａｃｃｅｓｓ  Ｍｅｍｏｒｙ、ＲＡＭ）、読み出し専用メモリ（Ｒｅａｄ−Ｏｎｌｙ  Ｍｅｍｏｒｙ、ＲＯＭ）、電気的消去可能なプログラマブル読み出し専用メモリ（Ｅｌｅｃｔｒｉｃａｌｌｙ  Ｅｒａｓａｂｌｅ  Ｐｒｏｇｒａｍｍａｂｌｅ  Ｒｅａｄ  Ｏｎｌｙ  Ｍｅｍｏｒｙ、ＥＥＰＲＯＭ）、フラッシュメモリまたは他のメモリ技術、読み取り専用ディスク（Ｃｏｍｐａｃｔ  Ｄｉｓｃ  Ｒｅａｄ−Ｏｎｌｙ  Ｍｅｍｏｒｙ、ＣＤ−ＲＯＭ）、デジタル多機能ディスク（Ｄｉｇｉｔａｌ  Ｖｅｒｓａｔｉｌｅ  Ｄｉｓｃ、ＤＶＤ）または他の光ディスクメモリ、磁気カートリッジ、磁気テープ、磁気ディスクメモリまたは他の磁気記憶装置、あるいは、所望の情報を記憶するために用いられてコンピュータによりアクセス可能な任意の他の媒体を含んでもよいが、これらに限定されない。また、当業者に周知のように、通信媒体は、通常、コンピュータ可読命令、データ構造、プログラムモジュール、またはキャリアもしくは他の伝送メカニズムのような変調データ信号内の他データを含み、且つ、任意の情報伝達媒体を含んでもよい。
【図１】
2021517780.tif 000008
【図２】
2021517780.tif 000009
【図３】
2021517780.tif 000010
【図４】
2021517780.tif 000011
【図５】
2021517780.tif 000012
【図６（ａ）】
2021517780.tif 000013
【図６（ｂ）】
2021517780.tif 000014
【図６（ｃ）】
2021517780.tif 000015
【図７】
2021517780.tif 000016
【図８（ａ）】
2021517780.tif 000017
【図８（ｂ）】
2021517780.tif 000018
【図８（ｃ）】
2021517780.tif 000019
【図８（ｄ）】
2021517780.tif 000020
【図９】
2021517780.tif 000021
【図１０】
2021517780.tif 000022
【図１１】
2021517780.tif 000023
【図１２】
2021517780.tif 000024
【図１３】
2021517780.tif 000025
【国際調査報告】
2021517780.tif 000026
2021517780.tif 000027
2021517780.tif 000028
2021517780.tif 000029